(57)【要約】【目的】ガラス押え周枠を窓枠ビス止めする際に窓枠にねじ孔を明ける必要がなく、ガラス押え周枠を窓枠に簡単にビス止めすることのできる固定窓を提供すること。【解決手段】窓枠１に窓ガラス３を挿入し、この窓ガラス３を、窓枠１の内周面にビス４止めされる室内側及び室外側のガラス押え周枠５，６によって固定するようにした固定窓において、窓枠１を夫々肉厚の枠部材１０，１１，１２，１２によって形成すると共に、各枠部材１０，１１，１２の内側面所要位置にビスねじ込み用の主溝１３と切粉逃がし溝１４とを枠部材長手方向全長にわたり形成し、ガラス押え周枠５，６に貫通させたビス４を各枠部材１０，１１，１２の主溝１３にねじ込むようにする。【選択図】　　　　図３
2004036190.tif 000002
【特許請求の範囲】
【請求項１】
建物の窓開口部に取り付けられる窓枠に窓ガラスを挿入し、この窓ガラスを、窓枠の内周面にビス止めされる室内側及び室外側のガラス押え周枠によって固定するようにした固定窓において、窓枠を夫々厚肉の上下横枠部材及び左右縦枠部材によって形成すると共に、各枠部材の内側面のガラス押え周枠取付位置に、ビスねじ込み用の主溝と、主溝へのビスのねじ込み時に生じる切粉を逃がすための切粉逃がし溝とを枠部材長手方向全長にわたり互いに連通して形成し、前記ガラス押え周枠にその内周面側から貫通させたビスを各枠部材の主溝にねじ込むことによってガラス押え周枠を窓枠にビス止めしてなる固定窓。
【請求項２】
各ガラス押え周枠を形成する上下横框及び左右縦框の各框内に、各枠部材の内側面に開口する前記ビスねじ込み用主溝をシールするパッキンを挿入してなる請求項１に記載の固定窓。
【請求項３】
各ガラス押え周枠の各框は、左右側壁部と、両側壁部をつなぐ連結壁部と、左右側壁部の夫々内側面から対向突出する突条部とからなる断面略々コ字状に形成されて、そのコ字状の開口面側が各枠部材の内側面に当接するように配置され、各框内には前記パッキンがその両側面の係合溝に前記突条部を係合させた状態で且つ上記コ字状開口面から若干突出した状態で挿入されている請求項２に記載の固定窓。
【発明の詳細な説明】
【０００１】
【発明の属する技術分野】
本発明は、建物の窓開口部に取り付けられる窓枠に窓ガラスを挿入し、この窓ガラスを、窓枠の内周面にビス止めされる室内側及び室外側のガラス押え周枠によって固定するようにした固定窓に関するものである。
【０００２】
【従来の技術】
従来におけるこの種の固定窓では、室内側及び室外側の各ガラス押え周枠を窓枠の内周面にビス止めするにあたって、ガラス押え周枠のビス止め箇所にビス挿通孔を明け、更にこのビス挿通孔に対応する窓枠のビス止め箇所にねじ孔を明けておいて、ガラス押え周枠のビス挿通孔から窓枠のねじ孔にビスをねじ込んで、ガラス押え周枠を窓枠に取り付け固定するようにしている。
【０００３】
【発明が解決しようとする課題】
上記のように従来にあっては、ガラス押え周枠を窓枠ビス止めするにあたり、窓枠のビス止め箇所に予めねじ孔を明けておいて、ガラス押え周枠のビス挿通孔から貫通させたビスを窓枠側のねじ孔にねじ込むようにしているため、ガラス押え周枠のビス挿通孔と窓枠のねじ孔とを合致させるのが難しく、それが合致していない場合にはねじ孔を明け直す必要があるなど、ねじ孔の孔明け作業に手間がかかり、施工能率が非常に悪かった。
【０００４】
本発明は、ガラス押え周枠を窓枠ビス止めする際に窓枠に一々ねじ孔を明ける必要がなく、ガラス押え周枠を窓枠に簡単にビス止めすることのできる固定窓を提供することを目的とする。
【０００５】
【課題を解決するための手段】
本発明に係る固定窓は、建物の窓開口部２に取り付けられる窓枠１に窓ガラス３を挿入し、この窓ガラス３を、窓枠１の内周面にビス４止めされる室内側及び室外側のガラス押え周枠５，６によって固定するようにした固定窓において、窓枠１を夫々厚肉の上下横枠部材１０，１１及び左右縦枠部材１２，１２によって形成すると共に、各枠部材１０，１１，１２の内側面のガラス押え周枠取付位置に、ビスねじ込み用の主溝１３と、主溝１３へのビス４のねじ込み時に生じる切粉を逃がすための切粉逃がし溝１４，２４，３４，４４とを枠部材長手方向全長にわたり互いに連通して形成し、前記ガラス押え周枠５，６にその内周面側から貫通させたビス４を各枠部材１０，１１，１２の主溝１３にねじ込むことによってガラス押え周枠５，６を窓枠１にビス４止めしてなることを特徴とする
【０００６】
請求項２は、請求項１に記載の固定窓において、各ガラス押え周枠５，６を形成する上下横框１５，１５及び左右縦框１６，１６の各框内に、各枠部材１０，１１，１２の内側面に開口する前記ビスねじ込み用主溝１３をシールするパッキン１７を挿入してなることを特徴とする。
【０００７】
請求項３は、請求項２に記載の固定窓において、各ガラス押え周枠５，６の各框１５，１６は、左右側壁部ａ，ｂと、両側壁部ａ，ｂをつなぐ連結壁部ｃと、左右側壁部ａ，ｂの夫々内側面から対向突出する突条部ｄ，ｄとからなる断面略々コ字状に形成されて、そのコ字状の開口面側が各枠部材１０，１１，１２の内側面に当接するように配置され、各框１５，１６内には前記パッキン１７がその両側面の係合溝ｇ，ｇに前記突条部ｄ，ｄを係合させた状態で且つ上記コ字状開口面から若干突出した状態で挿入されていることを特徴とする。
【０００８】
【発明の実施の形態】
図１は本発明に係る固定窓の上下垂直断面図、図２は同固定窓の水平横断面図であり、図３は図１の一部拡大図である。これらの図において、１は木造建物の躯体Ｋの窓開口部２に取り付けられた窓枠、３は窓枠１内に嵌挿される窓ガラスで、この窓ガラス３は、窓枠１の内周面にビス４止めされる室内側ガラス押え周枠５及び室外側ガラス押え周枠６、ならびに両ガラス押え周枠５，６間に装填されたコーキング材７によって固定される。８は窓開口部２の室内側に取り付けられた化粧額縁である。
【０００９】
上記固定窓の構造について更に詳細に説明すると、窓枠１は、夫々アルミ押し出し型材からなる厚肉の上下横枠部材１０，１１及び左右縦枠部材１２，１２によって矩形状に枠組みされたもので、図３及び図４から分かるように、各枠部材１０，１１，１２の内側面にはその室内側及び室外側のガラス押え周枠取付位置に夫々、ビスねじ込み用の主溝１３と、主溝１３の底部側でこの主溝１３に連通する切粉逃がし溝１４とが、断面略Ｌ字状を成して枠部材長手方向全長にわたり形成されている。尚、各枠部材１０，１１，１２の肉厚ｔ（図３及び図４参照）は例えば１０ｍｍ程度である。各枠部材１０，１１，１２には外側面にはその室内外方向中間部に取付片１８が突設され、またこの取付片１８と室内側端との間には取付金物係合溝１９が形成されている。
【００１０】
上記ビスねじ込み用の主溝１３は、窓枠１に対するガラス押え周枠５，６のビス止めに際してビス４を窓枠１の枠部材１０，１１，１２にねじ込むための下孔となる溝であり、従ってその溝幅ｗ（図４参照）はビス４の直径よりわずかに小さい。また、切粉逃がし溝１４は、ビスねじ込み用主溝１３にビス４をねじ込む時に発生する切粉を逃がすための溝で、この溝１４によって主溝１３へのビス４のねじ込み作業を適正に行うことができる。尚、図３は下横枠部材１１の断面形状を示したものであるが、図１及び図２を参照すれば分かるように、上下各横枠部材１０，１１及び左右各縦枠部材１２はいずれも同じ断面構造である。
【００１１】
室内側ガラス押え周枠５と室外側ガラス押え周枠６は同じ断面構造であって、各ガラス押え周枠５，６は、上下横框１５，１５及び左右縦框１６，１６によって矩形状に枠組み形成されている。また各框１５，１６は、図３に示すように、左右側壁部ａ，ｂと、両側壁部ａ，ｂをつなぐ連結壁部ｃと、左右側壁部ａ，ｂの夫々内側面から対向突出する突条部ｄ，ｄとからなる断面略々コ字状に形成されたもので、そのコ字状の開口面側が各枠部材１０，１１，１２の内側面に当接するように配置される。
【００１２】
また図３に示すように、各框１５，１６内には、窓枠１の各枠部材１０，１１，１２の内側面に開口するビスねじ込み用主溝１３に雨水等が浸入しないように当該主溝１３をシールするためのパッキン１７がビスねじ込み用主溝１３の全長に亘って挿入されている。このパッキン１７は、左右両側面に係合溝ｇ，ｇを形成していて、この係合溝ｇ，ｇに各框１５，１６の突条部ｄ，ｄを係合させた状態で、框１５，１６内に挿入される。
【００１３】
窓ガラス３は、複層ガラスからなるもので、図１及び図２から分かるように、両側一対のガラス板３ａ，３ａと、両ガラス板３ａ，３ａを一定間隔で密封状態に保持するスペーサ３ｂとから構成される。この実施形態では、窓ガラス３として複層ガラスを使用しているが、一枚のガラス板からなる普通の窓ガラスも使用される。
【００１４】
上記のような構成よりなる固定窓の取付施工に際しては、先ず、窓枠１を建物の窓開口部２の室外側に嵌挿し、取付片１８を取付周枠２０に対し適宜に固定して、窓枠１を窓開口部２に取り付ける。それから、窓枠１内にその室外側から室内側ガラス押え周枠５と窓ガラス３と室外側ガラス押え周枠６とを順次定位置に挿入すると共に、窓ガラス３の外周部にはコーキング材７を配置し、そして室内側及び室外側のガラス押え周枠５，６を夫々窓枠１の内周面にビス４止めし、両ガラス押え周枠５，６によりコーキング材７を介して窓ガラス３を窓枠１に固定する。
【００１５】
上記ガラス押え周枠５，６を窓枠１の内周面にビス４止めするにあたっては、ガラス押え周枠５，６を構成する各框１５，１６の内側面所要箇所に、図５に示すようにビス４の皿形頭部が嵌合するような皿形のビス挿通孔２１を形成し、しかしてビスねじ込み装置等の使用によりビス４を各ビス挿通孔２１から框１５，１６を貫通して窓枠１の各枠部材１０，１１，１２のビスねじ込み用主溝１３にねじ込み、締め付けることにより、各框１５，１６を枠部材１０，１１，１２の内側面にビス４止めして、各ガラス押え周枠５，６を窓枠１の内周面に固定する。
【００１６】
枠部材１０，１１，１２のビスねじ込み用主溝１３へのビス４のねじ込み時に生じる切粉は、主溝１３の底部に連通形成されている切粉逃がし溝１４に排出されて逃がされるから、ビス４は、迅速容易に窓枠１の枠部材１０，１１，１２にねじ込まれて、ガラス押え周枠５，６の框１５，１６を的確に枠部材１０，１１，１２に締め付け固定することができる。
【００１７】
上記のように、ガラス押え周枠５，６を窓枠１の内周面にビス止めするには、ガラス押え周枠５，６を構成する各框１５，１６にその内側面側から貫通させたビス４を、各枠部材１０，１１，１２にその全長に亘って形成されたビスねじ込み用主溝１３にねじ込めばよく、従来のようにガラス押え周枠側のビス挿通孔と窓枠側のねじ孔とを一々合致させる必要がないから、そのビス４止め作業を簡単容易に行なうことができる。
【００１８】
また、ガラス押え周枠５，６を窓枠１の内周面にビス４止めするにあたって、ガラス押え周枠５，６の框１５，１６内には図３に示すようにパッキン１７を挿入しておく。この時、パッキン１７は、断面略々コ字状を成す框１５，１６のコ字状開口面から僅かに突出した状態にあるから、框１５，１６が窓枠１の枠部材１０，１１，１２の内側面にビス４止めされて、パッキン１７が圧縮されることにより、枠部材１０，１１，１２の内側面に密着し、その枠部材１０，１１，１２に開口する前記ビスねじ込み用主溝１３を的確にシールすることができる。尚、図５では、ガラス押え周枠５，６の框１５，１６内に挿入されるパッキン１７の図示を省略している。
【００１９】
図６は、窓枠１を鉄筋コンクリート建物の躯体Ｔに設けられた窓開口部２に取り付ける場合を示したもので、この場合には、各枠部材１０，１１，１２に設けてある取付金物係合溝１９に取付金物２２を係合させて取り付け、この取付金物２２と、躯体Ｔに埋設されているアンカー金物２３とに連結金物２５を溶接することによって、窓枠１を躯体Ｔに取り付けている。他の構造については、図１及び図２に示す固定窓と全く同じである。
【００２０】
以上の実施形態では、各枠部材１０，１１，１２にビスねじ込み用主溝１３と連通して形成される切粉逃がし溝１４は、ビスねじ込み用主溝１３の底部から直角横方向に形成された溝であるが、これは一例であって、主溝１３へのビス４のねじ込み時に生じる切粉を逃がすものであれば、どの様な形状でもよく、図７には他の種々の例を示す。即ち、同図の（Ａ）は、主溝１３の底部に連通して断面蟻形に形成した切粉逃がし溝２４を示し、（Ｂ）は、主溝１３の底部に連通して断面円形又は楕円形に形成した切粉逃がし溝３４を示し、また（Ｃ）は、主溝１３の底部から斜め横方向に形成した切粉逃がし溝４４を示す。
【００２１】
【発明の効果】
請求項１に係る発明によれば、窓枠を夫々厚肉の上下横枠部材及び左右縦枠部材によって形成すると共に、各枠部材の内側面のガラス押え周枠取付位置に、ビスねじ込み用の主溝と切粉逃がし溝とを枠部材長手方向全長にわたり互いに連通して形成し、ガラス押え周枠にその内周面側から貫通させたビスを各枠部材の主溝にねじ込むようにしているから、ガラス押え周枠を窓枠にビス止めするのに、従来のようにガラス押え周枠側のビス挿通孔と窓枠側のねじ孔とを一々合致させる必要がなく、ガラス押え周枠の内側面側から貫通させたビスを各枠部材の主溝にねじ込むだけで、窓枠に対するガラス押え周枠のビス止め作業を簡単容易に行なうことができる。
【００２２】
請求項２に係る発明によれば、各ガラス押え周枠を形成する各框内に挿入されるパッキンによって、各枠部材の内側面に開口するビスねじ込み用主溝をシールし、それにより雨水等がビスねじ込み用主溝及び切粉逃がし溝に浸入するのを阻止して腐食を防止することができる。
【００２３】
請求項３に係る発明によれば、各ガラス押え周枠を形成する各框内にはパッキンがその両側面の係合溝に前記突条部を係合させた状態で且つ框のコ字状開口面から若干突出した状態で挿入されるから、各框が窓枠の枠部材にビス止めされることにより、そのパッキンが圧縮されて枠部材の内側面に密着し、ビスねじ込み用主溝を的確に水封することができる。
【図面の簡単な説明】
【図１】図１は本発明に係る固定窓の上下垂直断面図である。
【図２】同固定窓の水平横断面図でありる。
【図３】図１の一部拡大図である。
【図４】窓枠の枠部材を示す斜視図である。
【図５】ガラス押え周枠の框を窓枠の枠部材にビス止めしている状態を示す説明斜視図である。
【図６】窓枠を鉄筋コンクリート建物の躯体の窓開口部に取り付ける場合を示す図１と同様な断面図である。
【図７】（Ａ）〜（Ｃ）は切粉逃がし溝の変形例を示す断面図である。
【符号の説明】
１　　　　　　　　　　　窓枠
２　　　　　　　　　　　窓開口部
３　　　　　　　　　　　窓ガラス
４　　　　　　　　　　　ビス
５　　　　　　　　　　　室内側ガラス押え周枠
６　　　　　　　　　　　室外側ガラス押え周枠
１０，１１，１２　　　　窓枠を形成する枠部材
１３　　　　　　　　　　ビスねじ込み用主溝
１４，２４，３４，４４　切粉逃がし溝
１５，１６　　　　　　　ガラス押え周枠を形成する框
１７　　　　　　　　　　パッキン
ａ，ｂ　　　　　　　　　ガラス押え周枠を形成する框の左右側壁部
ｃ　　　　　　　　　　　ガラス押え周枠を形成する框の連結壁部
ｄ　　　　　　　　　　　ガラス押え周枠を形成する框の突条部
【図１】
2004036190.tif 000003
【図２】
2004036190.tif 000004
【図３】
2004036190.tif 000005
【図４】
2004036190.tif 000006
【図５】
2004036190.tif 000007
【図６】
2004036190.tif 000008
【図７】
2004036190.tif 000009